(57)【要約】【課題】複数の参加者それぞれの撮像画像が画面に映し出される場合に、他の参加者に閲覧されたくない領域が画面に映ってしまう可能性を容易に低減する。【解決手段】上方向を撮像方向とする撮像部により撮像された撮像画像を取得する撮像画像取得部と、前記撮像画像から所定領域の画像を抽出画像として抽出する画像抽出部と、前記抽出画像と他の１以上の通信端末からの抽出画像とが並べて配置されることにより生成された合成画像を取得する合成画像取得部と、前記合成画像が表示されるように制御する表示制御部と、を備える、通信端末が提供される。【選択図】図１
2014060577.tif 000002
【特許請求の範囲】
【請求項１】
上方向を撮像方向とする撮像部により撮像された撮像画像を取得する撮像画像取得部と、
前記撮像画像から所定領域の画像を抽出画像として抽出する画像抽出部と、
前記抽出画像と他の１以上の通信端末からの抽出画像とが並べて配置されることにより生成された合成画像を取得する合成画像取得部と、
前記合成画像が表示されるように制御する表示制御部と、
を備える、通信端末。
【請求項２】
前記撮像部は、前記通信端末の所定位置に設けられている、
請求項１に記載の通信端末。
【請求項３】
前記通信端末は、
前記撮像画像にユーザが映っているか否かを判定して判定結果を得る画像判定部と、
前記判定結果に応じて前記通信端末が有する所定の機能を制御する機能制御部と、
を備える、請求項１に記載の通信端末。
【請求項４】
前記機能制御部は、前記判定結果が前記撮像画像にユーザが映っている旨を示す場合には、前記通信端末が有する所定の機能を有効にする、
請求項３に記載の通信端末。
【請求項５】
前記機能制御部は、前記判定結果が前記撮像画像にユーザが映っていない旨を示す場合には、前記通信端末が有する所定の機能を制限する、
請求項３に記載の通信端末。
【請求項６】
前記通信端末が、音声の入力を受け付ける音声入力部と、前記他の１以上の通信端末に前記音声の送信を行う通信部とを備える場合、前記所定の機能は、少なくとも前記通信部による前記音声の送信機能を含む、
請求項３に記載の通信端末。
【請求項７】
前記通信端末が、音声の入力を受け付ける音声入力部と、前記他の１以上の通信端末に前記音声の送信を行う通信部とを備える場合、前記所定の機能は、少なくとも前記音声入力部による前記音声の入力を受け付ける機能を含む、
請求項３に記載の通信端末。
【請求項８】
前記画像判定部は、前記撮像画像に差分が生じたか否かによって、前記撮像画像にユーザが映っているか否かを判定する、
請求項３に記載の通信端末。
【請求項９】
前記画像判定部は、前記撮像画像に顔領域が存在するか否かによって、前記撮像画像にユーザが映っているか否かを判定する、
請求項３に記載の通信端末。
【請求項１０】
前記表示制御部は、前記合成画像上にオブジェクトが表示されるように制御し、
前記通信端末は、ユーザ操作により前記オブジェクトが移動された場合、前記オブジェクトに対応するコンテンツを移動させる処理部を備える、
請求項１に記載の通信端末。
【請求項１１】
前記通信端末は、
前記抽出画像を情報処理装置に提供する抽出画像提供部を備え、
前記合成画像取得部は、前記情報処理装置により生成された前記合成画像を取得する、
請求項１に記載の通信端末。
【請求項１２】
前記通信端末は、
前記合成画像を生成する画像合成部を備える、
請求項１に記載の通信端末。
【請求項１３】
コンピュータを、
上方向を撮像方向とする撮像部により撮像された撮像画像を取得する撮像画像取得部と、
前記撮像画像から所定領域の画像を抽出画像として抽出する画像抽出部と、
前記抽出画像と他の１以上の通信端末からの抽出画像とが並べて配置されることにより生成された合成画像を取得する合成画像取得部と、
前記合成画像が表示されるように制御する表示制御部と、
を備える通信端末として機能させるためのプログラム。
【請求項１４】
上方向を撮像方向とする複数の撮像部それぞれにより撮像された撮像画像から抽出された各抽出画像を取得する抽出画像取得部と、
前記各抽出画像を並べて配置することにより合成画像を生成する画像合成部と、
を備える、情報処理装置。
【請求項１５】
前記画像合成部は、前記各抽出画像が扇形である場合、前記各抽出画像を円形に並べて配置することにより前記合成画像を生成する、
請求項１４に記載の情報処理装置。
【請求項１６】
前記画像合成部は、前記各抽出画像に映っているユーザの関係性に応じた位置に、前記各抽出画像を並べて配置することにより前記合成画像を生成する、
請求項１４に記載の情報処理装置。
【請求項１７】
前記画像合成部は、ユーザ操作により指定された抽出画像を移動させることにより前記合成画像を再生成する、
請求項１４に記載の情報処理装置。
【請求項１８】
前記画像合成部は、前記合成画像のうちユーザ操作により指定された領域に応じた画像を新たな合成画像とする、
請求項１４に記載の情報処理装置。
【発明の詳細な説明】
【技術分野】
【０００１】
本開示は、通信端末、プログラムおよび情報処理装置に関する。
【背景技術】
【０００２】
近年、会議への参加者が他の参加者の撮像画像が映し出された画面を閲覧しながら会議を行うための会議システムが利用されている（例えば、特許文献１参照）。しかし、かかる会議システムにおいては、画面に他の参加者に閲覧されたくない領域が映ってしまう可能性がある。例えば、家庭内にいる参加者が会議を行う場合、家庭内の風景などといったプライベートな空間が画面に映し出されてしまう可能性がある。また、同一の家族内で会議を行う場合、会議に参加する家族以外の家族が画面に映し出されてしまう可能性がある。
【０００３】
このように、他の参加者に閲覧されたくない領域が画面に映ってしまうことがプライバシーの侵害につながる可能性も想定される。このような事情により、かかる会議システムは、例えば、業務用には利用される機会が多い一方、家庭用としては普及しづらいという側面を有していた。そこで、背景を除去した画像を画面に映し出すことにより、かかる課題を解決することも想定される。例えば、カメラからの距離を示す情報を利用して背景を除去する技術も想定される。
【先行技術文献】
【特許文献】
【０００４】
【特許文献１】特開２００９−２００６９７号公報
【発明の概要】
【発明が解決しようとする課題】
【０００５】
しかしながら、かかる技術では、カメラからの距離を示す情報を検出するための構成が必要となるため簡易な構成では撮像画像から背景を除去できない。したがって、複数の参加者それぞれの撮像画像が画面に映し出される場合に、他の参加者に閲覧されたくない領域が画面に映ってしまう可能性を容易に低減することが可能な技術が実現されることが望ましい。
【課題を解決するための手段】
【０００６】
本開示によれば、上方向を撮像方向とする撮像部により撮像された撮像画像を取得する撮像画像取得部と、前記撮像画像から所定領域の画像を抽出画像として抽出する画像抽出部と、前記抽出画像と他の１以上の通信端末からの抽出画像とが並べて配置されることにより生成された合成画像を取得する合成画像取得部と、前記合成画像が表示されるように制御する表示制御部と、を備える、通信端末が提供される。
【０００７】
また、本開示によれば、コンピュータを、上方向を撮像方向とする撮像部により撮像された撮像画像を取得する撮像画像取得部と、前記撮像画像から所定領域の画像を抽出画像として抽出する画像抽出部と、前記抽出画像と他の１以上の通信端末からの抽出画像とが並べて配置されることにより生成された合成画像を取得する合成画像取得部と、前記合成画像が表示されるように制御する表示制御部と、を備える通信端末として機能させるためのプログラムが提供される。
【０００８】
また、本開示によれば、上方向を撮像方向とする複数の撮像部それぞれにより撮像された撮像画像から抽出された各抽出画像を取得する抽出画像取得部と、前記各抽出画像を並べて配置することにより合成画像を生成する画像合成部と、を備える、情報処理装置が提供される。
【発明の効果】
【０００９】
以上説明したように本開示によれば、複数の参加者それぞれの撮像画像が画面に映し出される場合に、他の参加者に閲覧されたくない領域が画面に映ってしまう可能性を容易に低減することが可能である。
【図面の簡単な説明】
【００１０】
【図１】本開示の第１の実施形態に係る通信システムの構成例を示す図である。
【図２】本開示の第１の実施形態に係る通信端末の機能構成例を示す図である。
【図３】本開示の第１の実施形態に係る情報処理装置の機能構成例を示す図である。
【図４】本開示の第１の実施形態に係る通信端末の外観の第１の例を示す図である。
【図５】撮像画像にユーザが映らない場合について説明するための図である。
【図６】撮像画像にユーザが映る場合について説明するための図である。
【図７】本開示の第１の実施形態に係る通信システムの機能の詳細を示す図である。
【図８】本開示の第１の実施形態に係る通信システムが奏する効果を示す図である。
【図９】画像合成部による合成画像の再生成の第１の例を示す図である。
【図１０】画像合成部による合成画像の再生成の第２の例を示す図である。
【図１１】処理部により実行される処理の一例を示す図である。
【図１２】本開示の第１の実施形態に係る通信端末の外観の第２の例を示す図である。
【図１３】本開示の第１の実施形態に係る通信システムの動作の流れの一例を示す図である。
【図１４】本開示の第２の実施形態に係る通信システムの構成例を示す図である。
【図１５】本開示の第２の実施形態に係る通信端末の機能構成例を示す図である。
【図１６】本開示の第２の実施形態に係る通信システムの動作の流れの一例を示す図である。
【発明を実施するための形態】
【００１１】
以下に添付図面を参照しながら、本開示の好適な実施の形態について詳細に説明する。なお、本明細書および図面において、実質的に同一の機能構成を有する構成要素については、同一の符号を付することにより重複説明を省略する。
【００１２】
また、本明細書および図面において、実質的に同一の機能構成を有する複数の構成要素を、同一の符号の後に異なるアルファベットを付して区別する場合もある。ただし、実質的に同一の機能構成を有する複数の構成要素の各々を特に区別する必要がない場合、同一符号のみを付する。
【００１３】
また、以下に示す項目順序に従って当該「発明を実施するための形態」を説明する。
１．第１の実施形態
１−１．通信システムの構成例
１−２．通信端末の機能構成例
１−３．情報処理装置の機能構成例
１−４．通信端末の外観（第１の例）
１−５．機能制御の説明（第１の例）
１−６．機能制御の説明（第２の例）
１−７．通信システムの機能の詳細説明
１−８．通信システムが奏する効果
１−９．合成画像の再生成（第１の例）
１−１０．合成画像の再生成（第２の例）
１−１１．実行される処理の例
１−１２．通信端末の外観（第２の例）
１−１３．通信システムの動作
２．第２の実施形態
２−１．通信システムの構成例
２−２．通信端末の機能構成例
２−３．通信システムの動作
３．むすび
【００１４】
＜＜１．第１の実施形態＞＞
まず、本開示の第１の実施形態について説明する。
【００１５】
［１−１．通信システムの構成例］
最初に、本開示の第１の実施形態に係る通信システム１Ａの構成例について説明する。図１は、本開示の第１の実施形態に係る通信システム１Ａの構成例を示す図である。図１に示すように、通信システム１Ａは、複数の通信端末１０Ａの例としての通信端末１０Ａ−ａ、通信端末１０Ａ−ｂおよび通信端末１０Ａ−ｃを備えている。また、図１に示すように、通信端末１０Ａは、情報処理装置２０を備えている。
【００１６】
通信端末１０Ａは、ネットワーク３０を介して、他の通信端末１０Ａおよび情報処理装置２０と通信を行うことが可能である。本明細書においては、通信システム１Ａが、複数の通信端末１０Ａの例として３つの通信端末１０Ａ（通信端末１０Ａ−ａ、通信端末１０Ａ−ｂおよび通信端末１０Ａ−ｃ）を備える場合について主に説明するが、通信システム１Ａが備える通信端末１０Ａの数は複数であれば特に限定されない。
【００１７】
情報処理装置２０は、ネットワーク３０を介して、通信端末１０Ａと通信を行うことが可能である。なお、図１に示した例では、情報処理装置２０は、通信端末１０Ａとは別体に構成されているが、複数の通信端末１０Ａのいずれかが情報処理装置２０の機能を有していてもよい。ここで、情報処理装置２０の機能を有する通信端末１０Ａはどのように特定されてもよい。例えば、情報処理装置２０の機能を有する通信端末１０Ａはあらかじめ定められていてもよいし、最初に起動した通信端末１０Ａであってもよいし、最初に所定の機能が有効になった通信端末１０Ａであってもよいし、動的に変更されてもよい。所定の機能については後に説明する。
【００１８】
ここで、図１には、通信端末１０Ａ−ａが地点ａに存在し、通信端末１０Ａ−ｂが地点ｂに存在し、通信端末１０Ａ−ｃが地点ｃに存在する例が示されている。このように、複数の通信端末１０Ａそれぞれは、異なる地点に存在していてもよいが、同じ地点に存在していてもよい。以下では、複数の通信端末１０ＡそれぞれのユーザＵが参加者となり、各参加者は、他の参加者の撮像画像が映し出された画面を閲覧しながら当該他の参加者とのコミュニケーションを図ることを想定する。
【００１９】
以下では、ユーザＵ−ａ１およびユーザＵ−ａ２が通信端末１０ＡのユーザＵとして参加者となり、ユーザＵ−ｂが通信端末１０ＢのユーザＵとして参加者となり、ユーザＵ−ｃが通信端末１０ＣのユーザＵとして参加者となる場合を想定する。しかし、複数の通信端末１０ＡそれぞれのユーザＵの数は特に限定されない。
【００２０】
ここで、会議への参加者が他の参加者の撮像画像が映し出された画面を閲覧しながら会議を行うための会議システムは既に利用されている。しかし、かかる会議システムにおいては、画面に他の参加者に閲覧されたくない領域が映ってしまう可能性がある。そこで、本明細書においては、複数の参加者それぞれの撮像画像が画面に映し出される場合に、他の参加者に閲覧されたくない領域が画面に映ってしまう可能性を容易に低減することが可能な技術を提案する。
【００２１】
以上、本開示の第１の実施形態に係る通信システム１Ａの構成例について説明した。
【００２２】
［１−２．通信端末の機能構成例］
続いて、本開示の第１の実施形態に係る通信端末１０Ａの機能構成例について説明する。図２は、本開示の第１の実施形態に係る通信端末１０Ａの機能構成例を示す図である。図２に示したように、通信端末１０Ａは、制御部１１０、撮像部１２０、音声入力部１３０、操作部１４０、通信部１５０、記憶部１６０、音声出力部１７０および表示部１８０を備える。
【００２３】
制御部１１０は、例えば、ＣＰＵ（Ｃｅｎｔｒａｌ  Ｐｒｏｃｅｓｓｉｎｇ  Ｕｎｉｔ）などのプロセッサに相当する。制御部１１０は、記憶部１６０または他の記憶媒体に記憶されるプログラムを実行することにより、制御部１１０が有する様々な機能を発揮する。制御部１１０が有する機能ブロック（撮像画像取得部１１１、画像判定部１１２、機能制御部１１３、画像抽出部１１４、抽出画像提供部１１５、合成画像取得部１１６、表示制御部１１７および処理部１１８）の詳細については、後に説明する。
【００２４】
撮像部１２０は、撮像範囲内の領域を撮像し、撮像により得られた撮像画像を制御部１１０に出力する。例えば、撮像部１２０の撮像範囲内に存在するユーザＵは参加者となり、他の参加者とコミュニケーションを図ることが可能である。なお、図２に示した例では、撮像部１２０は通信端末１０Ａと一体化されているが、撮像部１２０は、通信端末１０Ａと別体に構成されていてもよい。
【００２５】
音声入力部１３０は、音声を検出して制御部１１０に出力する。例えば、ユーザＵが参加者となった場合、当該参加者から発せられた声を検出して制御部１１０に出力することが可能である。なお、図２に示した例では、音声入力部１３０は通信端末１０Ａと一体化されているが、音声入力部１３０は、通信端末１０Ａと別体に構成されていてもよい。
【００２６】
操作部１４０は、ユーザ操作を検出して制御部１１０に出力する。本明細書においては、操作部１４０がタッチパネルにより構成される場合を想定しているため、ユーザ操作はユーザＵの指を操作体として入力される。しかし、操作部１４０はタッチパネル以外のハードウェアにより構成されていてもよい。なお、図２に示した例では、操作部１４０は通信端末１０Ａと一体化されているが、操作部１４０は、通信端末１０Ａと別体に構成されていてもよい。
【００２７】
通信部１５０は、ネットワーク３０を介して他の通信端末１０Ａおよび情報処理装置２０と通信を行うことが可能である。例えば、通信部１５０は、音声入力部１３０により検出された音声を他の通信端末１０Ａに送信することが可能である。また、例えば、通信部１５０は、他の通信端末１０Ａから音声を受信することが可能である。また、通信部１５０は、撮像部１２０により得られた撮像画像を送信したり、撮像画像を受信したりすることが可能である。なお、図２に示した例では、通信部１５０は通信端末１０Ａと一体化されているが、通信部１５０は、通信端末１０Ａと別体に構成されていてもよい。
【００２８】
記憶部１６０は、半導体メモリまたはハードディスクなどの記憶媒体を用いて、制御部１１０を動作させるためのプログラムを記憶する。また、例えば、記憶部１６０は、プログラムによって使用される各種のデータ（例えば、設定情報、コンテンツなど）を記憶することもできる。なお、図２に示した例では、記憶部１６０は通信端末１０Ａと一体化されているが、記憶部１６０は通信端末１０Ａと別体に構成されていてもよい。
【００２９】
音声出力部１７０は、通信部１５０により受信された音声を出力する機能を有する。例えば、音声出力部１７０は、例えば、スピーカにより構成される。なお、図２に示した例では、音声出力部１７０は通信端末１０Ａと一体化されているが、音声出力部１７０は通信端末１０Ａと別体に構成されていてもよい。音声出力部１７０が通信端末１０Ａと別体に構成される場合、例えば、音声出力部１７０は、ヘッドホンやイヤホンなどであってもよい。
【００３０】
表示部１８０は、表示制御部１１７による制御に従って、各種情報の表示を行う。表示部１８０は、例えば、ＬＣＤ（Ｌｉｑｕｉｄ  Ｃｒｙｓｔａｌ  Ｄｉｓｐｌａｙ）、有機ＥＬ（Ｅｌｅｃｔｒｏｌｕｍｉｎｅｓｃｅｎｃｅ）ディスプレイ装置などにより構成される。なお、図２に示した例では、表示部１８０は通信端末１０Ａと一体化されているが、表示部１８０は通信端末１０Ａと別体に構成されていてもよい。
【００３１】
以上、本開示の第１の実施形態に係る通信端末１０Ａの機能構成例について説明した。
【００３２】
［１−３．通信端末の機能構成例］
続いて、本開示の第１の実施形態に係る情報処理装置２０の機能構成例について説明する。図３は、本開示の第１の実施形態に係る情報処理装置２０の機能構成例を示す図である。図３に示したように、情報処理装置２０は、制御部２１０、記憶部２２０および通信部２３０を備える。
【００３３】
制御部２１０は、例えば、ＣＰＵなどのプロセッサに相当する。制御部２１０は、記憶部２２０または他の記憶媒体に記憶されるプログラムを実行することにより、制御部２１０が有する様々な機能を発揮する。制御部２１０が有する機能ブロック（抽出画像取得部２１１、画像合成部２１２および合成画像提供部２１３）の詳細については、後に説明する。
【００３４】
記憶部２２０は、半導体メモリまたはハードディスクなどの記憶媒体を用いて、制御部２１０を動作させるためのプログラムを記憶する。また、例えば、記憶部２２０は、プログラムによって使用される各種のデータ（例えば、設定情報、コンテンツなど）を記憶することもできる。なお、図３に示した例では、記憶部２２０は情報処理装置２０と一体化されているが、記憶部２２０は情報処理装置２０と別体に構成されていてもよい。
【００３５】
通信部２３０は、ネットワーク３０を介して複数の通信端末１０Ａそれぞれと通信を行うことが可能である。例えば、通信部２３０は、複数の通信端末１０Ａそれぞれから送信された撮像画像を受信することが可能である。また、通信部２３０は、複数の通信端末１０Ａそれぞれから受信した撮像画像が合成された合成画像を、当該複数の通信端末１０Ａに送信することが可能である。なお、図３に示した例では、通信部２３０は情報処理装置２０と一体化されているが、通信部２３０は、情報処理装置２０と別体に構成されていてもよい。
【００３６】
以上、本開示の第１の実施形態に係る情報処理装置２０の機能構成例について説明した。
【００３７】
［１−４．通信端末の外観（第１の例）］
続いて、本開示の第１の実施形態に係る通信端末１０Ａの外観（第１の例）について説明する。図４は、本開示の第１の実施形態に係る通信端末１０Ａの外観（第１の例）を示す図である。撮像部１２０は、通信端末１０Ａの所定位置に設けられている。例えば、図４に示すように、撮像部１２０は、操作部１４０および表示部１８０の中央に設けられてもよい。
【００３８】
図４に示した例では、操作部１４０および表示部１８０の形状は円形である。後に説明するように、表示部１８０に表示される合成画像が円形である場合が想定されるからである。しかし、操作部１４０および表示部１８０の形状は特に限定されない。また、図４に示されるように、撮像部１２０は、レンズ１２１を備えている。撮像部１２０の画角は特に限定されないが、例えば、レンズ１２１は、画角が広いレンズ（広角レンズ）であってもよい。
【００３９】
以上、本開示の第１の実施形態に係る通信端末１０Ａの外観（第１の例）について説明した。
【００４０】
［１−５．機能制御の説明（第１の例）］
続いて、機能制御部１１３による機能制御の第１の例について説明する。図５は、撮像画像にユーザが映らない場合について説明するための図である。図５に示すように、通信端末１０Ａの周囲の空間は、撮像部１２０の画角に応じて規定されるラインＬを境界として、撮像範囲内の領域Ｒ１と撮像範囲外の領域Ｒ２とに分けられる。
【００４１】
ここで、撮像部１２０の撮像方向が上方向である場合を想定する。例えば、図５に示すように、撮像部１２０が通信端末１０Ａに備えられている場合には、通信端末１０Ａが水平な台に置かれることによって、撮像部１２０の撮像方向が上方向となる。上方向とは、例えば、鉛直方向上向きを意味する。また、上記したように、レンズ１２１の画角は特に限定されないが、例えば、１８０度未満であればよい。
【００４２】
この場合、図５に示すように、ユーザＵが撮像部１２０から遠い位置に存在する場合には、ユーザＵは撮像範囲外の領域Ｒ２に位置し、ユーザＵは撮像画像に映らない。したがって、ユーザＵの意に反して撮像画像にユーザＵが映ってしまうことを防ぐことができる。また、撮像画像に映る背景は、他の参加者に閲覧されてもよい領域（例えば、天井など）である可能性が高まることが期待される。
【００４３】
このような機能を有する撮像部１２０により撮像された撮像画像は、撮像画像取得部１１１により取得される。続いて、画像判定部１１２は、撮像画像にユーザＵが映っているか否かを判定して判定結果を得る。ここで、機能制御部１１３は、画像判定部１１２による判定結果に応じて通信端末１０Ａが有する所定の機能を制御すればよい。
【００４４】
例えば、図５に示すように、機能制御部１１３は、画像判定部１１２による判定結果が撮像画像にユーザＵが映っていない旨を示す場合には、通信端末１０Ａが有する所定の機能を制限すればよい。撮像画像にユーザＵが映っていない場合には、ユーザＵが参加者として他の参加者とのコミュニケーションを図ろうとしていない可能性が高いからである。所定の機能の制限は、所定の機能を完全に停止することによりなされてもよいし、所定の機能を低下させることによりなされてもよい。所定の機能としては、様々な機能が想定される。
【００４５】
例えば、所定の機能は、少なくとも通信部１５０による音声の送信機能を含んでもよい。当該音声は、音声入力部１３０により入力が受け付けられた音声である。音声の送信機能を制限は、例えば、音声チャネルの切断により実現される。このように、機能制御部１１３が通信部１５０による音声の送信機能を制限することによって、ユーザＵが参加者として他の参加者とのコミュニケーションを図ろうとしていない場合には、ユーザＵの声が他の通信端末１０Ａに送信されてしまうことを防ぐことができる。
【００４６】
また、例えば、所定の機能は、少なくとも音声入力部１３０による音声の入力を受け付ける機能を含んでもよい。このように、機能制御部１１３が音声入力部１３０による音声の入力を受け付ける機能を制限することによって、ユーザＵが参加者として他の参加者とのコミュニケーションを図ろうとしていない場合には、ユーザＵの声が他の通信端末１０Ａに送信されてしまうことを防ぐことができる。
【００４７】
また、撮像画像にユーザＵが映っているか否かの判定はどのようになされてもよい。例えば、画像判定部１１２は、撮像画像に差分が生じたか否かによって、撮像画像にユーザＵが映っているか否かを判定してもよい。例えば、撮像部１２０が時系列に沿って連続的に撮像を行っている場合には、基準画像と現在における撮像画像との間に差分が生じたか否かによって、撮像画像にユーザＵが映っているか否かを判定してもよい。基準画像は、所定の時刻に撮像された画像であってもよいし、現在の撮像画像よりも所定時間前に撮像された画像であってもよい。
【００４８】
あるいは、画像判定部１１２は、撮像画像に顔領域が存在するか否かによって、撮像画像にユーザＵが映っているか否かを判定してもよい。例えば、画像判定部１１２は、撮像画像から特徴量を抽出し、抽出した特徴量とあらかじめ登録された顔領域の特徴量との照合を行い、その照合の結果に基づいて、撮像画像に顔領域が存在するか否かを判定してもよい。例えば、画像判定部１１２は、照合の結果が一致を示すか否かによって、撮像画像に顔領域が存在するか否かを判定してもよい。
【００４９】
以上、機能制御部１１３による機能制御の第１の例について説明した。
【００５０】
［１−６．機能制御の説明（第２の例）］
続いて、機能制御部１１３による機能制御の第２の例について説明する。図６は、撮像画像にユーザが映る場合について説明するための図である。図５に示した場合と同様に、通信端末１０Ａの周囲の空間は、撮像部１２０の画角に応じて規定されるラインＬを境界として、撮像範囲内の領域Ｒ１と撮像範囲外の領域Ｒ２とに分けられる。また、撮像部１２０の撮像方向が上方向である場合を想定する。
【００５１】
図６に示すように、ユーザＵが撮像部１２０から近い位置に存在する場合には、ユーザＵは撮像範囲内の領域Ｒ１に位置し、ユーザＵは撮像画像に映る。撮像画像は、撮像画像取得部１１１により取得される。続いて、画像判定部１１２は、撮像画像にユーザＵが映っているか否かを判定して判定結果を得る。ここで、図５に示した例と同様に、機能制御部１１３は、画像判定部１１２による判定結果に応じて通信端末１０Ａが有する所定の機能を制御すればよい。
【００５２】
例えば、図６に示すように、機能制御部１１３は、画像判定部１１２による判定結果が撮像画像にユーザＵが映っている旨を示す場合には、通信端末１０Ａが有する所定の機能を有効にすればよい。撮像画像にユーザＵが映っている場合には、ユーザＵが参加者として他の参加者とのコミュニケーションを図ろうとしている可能性が高いからである。所定の機能の有効化は、所定の機能全体を有効にすることによりなされてもよいし、所定の機能の一部を有効にすることによりなされてもよい。所定の機能としては、上記したように、様々な機能が想定される。
【００５３】
以上、機能制御部１１３による機能制御の第２の例について説明した。
【００５４】
［１−７．通信システムの機能の詳細説明］
続いて、本開示の第１の実施形態に係る通信システム１Ａの機能の詳細について説明する。図７は、本開示の第１の実施形態に係る通信システム１Ａの機能の詳細を示す図である。上記したように、図７を用いた例では、通信システム１Ａが、複数の通信端末１０Ａの例として３つの通信端末１０Ａ（通信端末１０Ａ−ａ、通信端末１０Ａ−ｂおよび通信端末１０Ａ−ｃ）を備える場合について説明する。しかし、通信システム１Ａが備える通信端末１０Ａの数は複数であれば特に限定されない。
【００５５】
図７に示すように、通信端末１０Ａ−ａの撮像画像取得部１１１は、撮像画像Ｉｍｇ−ａを取得する。同様に、通信端末１０Ａ−ｂの撮像画像取得部１１１は、撮像画像Ｉｍｇ−ｂを取得し、通信端末１０Ａ−ｃの撮像画像取得部１１１は、撮像画像Ｉｍｇ−ｃを取得する。なお、画像抽出部１１４による抽出画像の抽出などは、画像判定部１１２により撮像画像にユーザＵが映っていないと判定された場合には省略される。
【００５６】
続いて、通信端末１０Ａ−ａの画像抽出部１１４は、撮像画像Ｉｍｇ−ａから所定領域の画像を抽出画像Ｉｍｇ１−ａとして抽出する。ここで、所定領域は、例えば、ユーザＵが映っている領域を含む領域であってもよい。ユーザＵが映っている領域は、撮像画像Ｉｍｇ−ａのうち差分が生じた領域であってもよいし、撮像画像Ｉｍｇ−ａのうち顔領域が存在する領域であってもよい。同様に、通信端末１０Ａ−ｂの画像抽出部１１４は、撮像画像Ｉｍｇ−ｂから所定領域の画像を抽出画像Ｉｍｇ１−ｂとして抽出し、通信端末１０Ａ−ｃの画像抽出部１１４は、撮像画像Ｉｍｇ−ｃから所定領域の画像を抽出画像Ｉｍｇ１−ｃとして抽出する。
【００５７】
続いて、通信端末１０Ａ−ａの合成画像取得部１１６は、抽出画像Ｉｍｇ１−ａと通信端末１０Ａ−ｂからの抽出画像Ｉｍｇ１−ｂと通信端末１０Ａ−ｃからの抽出画像Ｉｍｇ１−ｃとが並べて配置されることにより生成された合成画像Ｉｍｇ１−ｘを取得する。ここで、合成画像Ｉｍｇ１−ｘの生成は、情報処理装置２０によってなされてもよいし、通信端末１０Ａ−ａ、通信端末１０Ａ−ｂおよび通信端末１０Ａ−ｃによりなされてもよい。本実施形態においては、合成画像Ｉｍｇ１−ｘの生成は、情報処理装置２０においてなされることとする。
【００５８】
したがって、通信端末１０Ａ−ａの抽出画像提供部１１５は、抽出画像Ｉｍｇ１−ａを情報処理装置２０に提供する。同様に、通信端末１０Ａ−ｂの抽出画像提供部１１５は、抽出画像Ｉｍｇ１−ｂを情報処理装置２０に提供し、通信端末１０Ａ−ｃの抽出画像提供部１１５は、抽出画像Ｉｍｇ１−ｃを情報処理装置２０に提供する。
【００５９】
続いて、情報処理装置２０の抽出画像取得部２１１は、通信端末１０Ａ−ａからの抽出画像Ｉｍｇ１−ａを取得する。同様に、通信端末１０Ａ−ｂの抽出画像取得部２１１は、通信端末１０Ａ−ｂからの抽出画像Ｉｍｇ１−ｂを取得し、通信端末１０Ａ−ｃからの抽出画像Ｉｍｇ１−ｃを取得する。情報処理装置２０の画像合成部２１２は、抽出画像Ｉｍｇ１−ａ、抽出画像Ｉｍｇ１−ｂおよび抽出画像Ｉｍｇ１−ｃを並べて配置することにより合成画像を生成する。
【００６０】
画像合成部２１２による抽出画像Ｉｍｇ１−ａ、抽出画像Ｉｍｇ１−ｂおよび抽出画像Ｉｍｇ１−ｃの並べ方は特に限定されない。図７に示すように、例えば、画像合成部２１２は、抽出画像Ｉｍｇ１−ａ、抽出画像Ｉｍｇ１−ｂおよび抽出画像Ｉｍｇ１−ｃが扇形である場合、抽出画像Ｉｍｇ１−ａ、抽出画像Ｉｍｇ１−ｂおよび抽出画像Ｉｍｇ１−ｃを円形に並べて配置することにより合成画像Ｉｍｇ１−ｘを生成してもよい。
【００６１】
また、抽出画像Ｉｍｇ１−ａ、抽出画像Ｉｍｇ１−ｂおよび抽出画像Ｉｍｇ１−ｃが配置される位置は特に限定されない。例えば、画像合成部２１２は、あらかじめ定められた位置に抽出画像Ｉｍｇ１−ａ、抽出画像Ｉｍｇ１−ｂおよび抽出画像Ｉｍｇ１−ｃを配置してもよい。あるいは、画像合成部２１２は、抽出画像Ｉｍｇ１−ａ、抽出画像Ｉｍｇ１−ｂおよび抽出画像Ｉｍｇ１−ｃに映っているユーザＵの関係性に応じた位置に、抽出画像Ｉｍｇ１−ａ、抽出画像Ｉｍｇ１−ｂおよび抽出画像Ｉｍｇ１−ｃを並べて配置してもよい。例えば、画像合成部２１２は、映っているユーザＵの関係性が強い抽出画像同士ほど近くに配置してもよい。ユーザＵの関係性は、あらかじめ登録しておくことが可能である。
【００６２】
続いて、通信端末１０Ａ−ａの合成画像取得部１１６は、情報処理装置２０により生成された合成画像Ｉｍｇ１−ｘを取得する。同様に、通信端末１０Ａ−ｂの抽出画像取得部２１１は、情報処理装置２０により生成された合成画像Ｉｍｇ１−ｘを取得し、通信端末１０Ａ−ｃの抽出画像取得部２１１は、情報処理装置２０により生成された合成画像Ｉｍｇ１−ｘを取得する。
【００６３】
続いて、通信端末１０Ａ−ａの表示制御部１１７は、合成画像Ｉｍｇ１−ｘが通信端末１０Ａ−ａの表示部１８０に表示されるように通信端末１０Ａ−ａの表示部１８０を制御する。同様に、通信端末１０Ａ−ｂの表示制御部１１７は、合成画像Ｉｍｇ１−ｘが通信端末１０Ａ−ｂの表示部１８０に表示されるように通信端末１０Ａ−ｂの表示部１８０を制御する。また、通信端末１０Ａ−ｃの表示制御部１１７は、合成画像Ｉｍｇ１−ｘが通信端末１０Ａ−ｃの表示部１８０に表示されるように通信端末１０Ａ−ｃの表示部１８０を制御する。
【００６４】
以上、本開示の第１の実施形態に係る通信システム１Ａの機能の詳細について説明した。
【００６５】
［１−８．通信システムが奏する効果］
続いて、本開示の第１の実施形態に係る通信システム１Ａが奏する効果について説明する。図８は、本開示の第１の実施形態に係る通信システム１Ａが奏する効果を示す図である。
【００６６】
図８に示すように、地点ａに存在する参加者（ユーザＵ−ａ１およびユーザＵ−ａ２）は、通信端末１０Ａ−ａによる表示結果を閲覧しながら、地点ｂに存在する参加者（ユーザＵ−ｂ）および地点ｃに存在する参加者（ユーザＵ−ｃ）とコミュニケーションを図ることが可能である。
【００６７】
上記したように、通信システム１Ａによれば、複数の参加者（ユーザＵ−ａ１、ユーザＵ−ａ２、ユーザＵ−ｂおよびユーザＵ−ｃ）それぞれの撮像画像が画面に映し出される場合に、他の参加者に閲覧されたくない領域が画面に映ってしまう可能性を容易に低減することが可能となる。また、上記したような機能制御によって、ユーザの意図しない場合に音声が送信されてしまう可能性も低減することが可能である。このように、通信システム１Ａによれば、プライバシー侵害の可能性を低減することが可能となる。
【００６８】
また、通信端末１０Ａ−ａには、通信端末１０Ａ−ａを閲覧する参加者が映っている抽出画像Ｉｍｇ１−ａとユーザＵ−ｂが映っている抽出画像Ｉｍｇ１−ｂとユーザＵ−ｃが映っている抽出画像Ｉｍｇ１−ｃとが対等に並べられて表示される。したがって、例えば、異なる地点に存在する参加者とのコミュニケーションをより親密に図れることが期待される。また、各参加者は同じ合成画像Ｉｍｇ１−ｘを閲覧することになるため、参加者同士の間で理解の齟齬が生じにくくなり、他の参加者と同じ鏡を覗き込むような感覚でコミュニケーションを図れることが期待される。
【００６９】
また、合成される抽出画像の数は特に限定されないため、通信システム１Ａは、２者間でのコミュニケーションのみならず、３者間でのコミュニケーションを図るためにも利用され得る。
【００７０】
以上、本開示の第１の実施形態に係る通信システム１Ａが奏する効果について説明した。
【００７１】
［１−９．合成画像の再生成（第１の例）］
続いて、画像合成部２１２による合成画像の再生成の第１の例について説明する。図９は、画像合成部２１２による合成画像の再生成の第１の例を示す図である。例えば、図９に示したように、合成画像Ｉｍｇ１−ｘを閲覧したユーザＵは、例えば、他の参加者に閲覧されたくない領域が合成画像Ｉｍｇ１−ｘに映ってしまっている場合などには、合成画像Ｉｍｇ１−ｘを狭くしたいと考える可能性もある。そこで、操作部１４０に対するユーザ操作により領域を指定することを可能とする。当該領域の指定は、例えば、操作体ＯＰによる操作（例えば、ドラッグ操作）により与えられる。
【００７２】
この場合、画像合成部２１２は、合成画像Ｉｍｇ１−ｘのうちユーザ操作により指定された領域に応じた画像を新たな合成画像とすることができる。図９には、画像合成部２１２が、ユーザ操作により指定された領域の画像を新たな合成画像Ｉｍｇ２−ｘとする例が示されている。
【００７３】
一方、合成画像Ｉｍｇ１−ｘを閲覧したユーザＵは、例えば、さらに詳しく閲覧したい領域が合成画像Ｉｍｇ１−ｘに映っている場合などには、合成画像Ｉｍｇ１−ｘのうちユーザ操作により指定された領域のサイズを調整したいと考える可能性もある。そこで、例えば、画像合成部２１２は、合成画像Ｉｍｇ１−ｘのうちユーザ操作により指定された領域を拡大した画像を新たな合成画像としてもよい。ユーザ操作により指定された領域はどのように拡大されてもよい。
【００７４】
例えば、文献Ａ（Ｊｏｈｎ  Ｌａｍｐｉｎｇ  ａｎｄ  Ｒａｍａｎａ  Ｒａｏ著「Ｖｉｓｕａｌｉｚｉｎｇ  Ｌａｒｇｅ  Ｔｒｅｅｓ  Ｕｓｉｎｇ  ｔｈｅ  Ｈｙｐｅｒｂｏｌｉｃ  Ｂｒｏｗｓｅｒ」、ＡＣＭ  ＣＨＩ  ’９６  （インターネット検索  ＵＲＬ＜ｈｔｔｐ：／／ｗｗｗ．ｓｉｇｃｈｉ．ｏｒｇ／ｃｈｉ９６／ｐｒｏｃｅｅｄｉｎｇｓ／ｖｉｄｅｏｓ／Ｌａｍｐｉｎｇ／ｈｂ−ｖｉｄｅｏ．ｈｔｍｌ＞検索日：２０１２年９月１３日）により開示されているような双曲面の可視化の手法により、ユーザ操作により指定された領域が拡大されてもよい。
【００７５】
以上、画像合成部２１２による合成画像の再生成の第１の例について説明した。
【００７６】
［１−１０．合成画像の再生成（第２の例）］
続いて、画像合成部２１２による合成画像の再生成の第２の例について説明する。図１０は、画像合成部２１２による合成画像の再生成の第２の例を示す図である。例えば、図１０に示したように、合成画像Ｉｍｇ１−ｘを閲覧したユーザＵは、例えば、抽出画像を移動させたいと考える可能性もある。そこで、操作部１４０に対するユーザ操作により抽出画像を指定することを可能とする。当該抽出画像の指定は、例えば、操作体ＯＰによる操作（例えば、タッチ操作）により与えられる。
【００７７】
この場合、画像合成部２１２は、ユーザ操作により指定された抽出画像を移動させることにより合成画像を再生成することができる。図１０には、画像合成部２１２が、ユーザ操作により指定された抽出画像Ｉｍｇ１−ｂを移動させることにより合成画像Ｉｍｇ３−ｘを再生成する例が示されている。なお、図１０に示すように、抽出画像の移動量をユーザ操作によりさらに指定することもできる。当該移動量は、例えば、操作体ＯＰによる操作（例えば、ドラッグ操作）により与えられる。
【００７８】
このように抽出画像Ｉｍｇ１−ｂを移動させることにより、様々なメリットを享受できる。例えば、抽出画像Ｉｍｇ１−ｃと対面する位置に抽出画像Ｉｍｇ１−ｂを移動させれば、よりフォーマルな会話を楽しむことができる。また、抽出画像Ｉｍｇ１−ｃと隣り合った位置に抽出画像Ｉｍｇ１−ｂを移動させれば、より親密な会話を楽しむことができる。このように、現実空間での会話のメタファーを取り込むことができる。
【００７９】
以上、画像合成部２１２による合成画像の再生成の第２の例について説明した。
【００８０】
［１−１１．実行される処理の例］
続いて、処理部１１８により実行される処理の一例について説明する。図１１は、処理部１１８により実行される処理の一例を示す図である。図１１に示すように、例えば、抽出画像Ｉｍｇ１−ｃに映っているユーザＵ−ｃがコンテンツを保有する場合、そのコンテンツに対応するオブジェクトＦが表示されてもよい。すなわち、通信端末１０Ａ−ｃの表示制御部１１７は、合成画像Ｉｍｇ１−ｘ上にオブジェクトＦが表示されるように制御してもよい。コンテンツの種類は特に限定されない。例えば、コンテンツは、テキストデータであってもよいし、画像データであってもよいし、音声データであってもよいし、他のデータであってもよい。
【００８１】
また、処理部１１８は、ユーザ操作によりオブジェクトＦが移動された場合、オブジェクトＦに対応するコンテンツを移動させてもよい。図１１に示された例において、例えば、通信端末１０Ａ−ｃの処理部１１８は、ユーザ操作により、オブジェクトＦが抽出画像Ｉｍｇ１−ｃから抽出画像Ｉｍｇ１−ａに移動された場合、オブジェクトＦに対応するコンテンツを通信端末１０Ａ−ａに移動させてもよい。コンテンツの移動の代わりにコンテンツのコピーがなされてもよい。
【００８２】
なお、通信端末１０Ａ−ｃの表示制御部１１７は、合成画像Ｉｍｇ１−ｘ上に共有領域Ｃが表示されるように制御してもよい。共有領域Ｃは、通信端末１０Ａ−ａ、通信端末１０Ａ−ｂおよび通信端末１０Ａ−ｃからアクセス可能な領域であり、情報処理装置２０の記憶部２２０に設けられていてもよいし、いずれかの通信端末１０Ａに設けられていてもよいし、他の記憶媒体に設けられていてもよい。
【００８３】
例えば、通信端末１０Ａ−ｃの処理部１１８は、ユーザ操作により、オブジェクトＦが抽出画像Ｉｍｇ１−ｃから共有領域Ｃに移動された場合、オブジェクトＦに対応するコンテンツを、通信端末１０Ａ−ａ、通信端末１０Ａ−ｂおよび通信端末１０Ａ−ｃからアクセス可能な領域に移動させてもよい。コンテンツの移動の代わりにコンテンツのコピーがなされてもよい。
【００８４】
以上、処理部１１８により実行される処理の一例について説明した。
【００８５】
［１−１２．通信端末の外観（第２の例）］
続いて、本開示の第１の実施形態に係る通信端末１０Ａの外観の第２の例について説明する。図１２は、本開示の第１の実施形態に係る通信端末１０Ａの外観の第２の例を示す図である。上記したように、撮像部１２０は、通信端末１０Ａの所定位置に設けられている。例えば、図１２に示すように、撮像部１２０は、携帯端末に設けられてもよい。携帯端末は、スマートフォンであってもよいし、タブレット端末であってもよいし、ＰＤＡ（Ｐｅｒｓｏｎａｌ  Ｄｉｇｉｔａｌ  Ａｓｓｉｓｔａｎｔｓ）であってもよい。
【００８６】
以上、本開示の第１の実施形態に係る通信端末１０Ａの外観の第２の例について説明した。
【００８７】
［１−１３．通信システムの動作］
続いて、本開示の第１の実施形態に係る通信システム１Ａの動作の流れの一例について説明する。図１３は、本開示の第１の実施形態に係る通信システム１Ａの動作の流れの一例を示す図である。なお、図１３には、通信システム１Ａの動作の一例を示したに過ぎないため、通信システム１Ａの動作は、図１３に示した例に限定されないことは言うまでもない。
【００８８】
図１３に示したように、通信端末１０Ａ−ａにおいて、撮像画像取得部１１１は、撮像画像Ｉｍｇ−ａを取得し、画像抽出部１１４は、撮像画像Ｉｍｇ−ａから抽出画像Ｉｍｇ１−ａを抽出する（Ｓ１１）。続いて、通信端末１０Ａ−ａにおいて、抽出画像提供部１１５は、抽出画像Ｉｍｇ１−ａを情報処理装置２０に出力する（Ｓ１２）。情報処理装置２０の抽出画像取得部２１１は、抽出画像Ｉｍｇ１−ａを取得する（Ｓ１３）。
【００８９】
同様に、通信端末１０Ａ−ｂにおいて、撮像画像取得部１１１は、撮像画像Ｉｍｇ−ｂを取得し、画像抽出部１１４は、撮像画像Ｉｍｇ−ｂから抽出画像Ｉｍｇ１−ｂを抽出する（Ｓ１４）。続いて、通信端末１０Ａ−ｂにおいて、抽出画像提供部１１５は、抽出画像Ｉｍｇ１−ｂを情報処理装置２０に出力する（Ｓ１５）。情報処理装置２０の抽出画像取得部２１１は、抽出画像Ｉｍｇ１−ｂを取得する（Ｓ１６）。
【００９０】
また、通信端末１０Ａ−ｃにおいては、撮像画像取得部１１１は、撮像画像Ｉｍｇ−ｃを取得し、画像抽出部１１４は、撮像画像Ｉｍｇ−ｃから抽出画像Ｉｍｇ１−ｃを抽出する（Ｓ１７）。続いて、通信端末１０Ａ−ｃにおいて、抽出画像提供部１１５は、抽出画像Ｉｍｇ１−ｃを情報処理装置２０に出力する（Ｓ１８）。情報処理装置２０の抽出画像取得部２１１は、抽出画像Ｉｍｇ１−ｃを取得する（Ｓ１９）。
【００９１】
続いて、情報処理装置２０においては、画像合成部２１２は、抽出画像Ｉｍｇ１−ａ、抽出画像Ｉｍｇ１−ｂおよび抽出画像Ｉｍｇ１−ｃを合成することにより合成画像Ｉｍｇ１−ｘを生成する（Ｓ２１）。続いて、合成画像提供部２１３は、合成画像Ｉｍｇ１−ｘを通信端末１０Ａ−ａに出力する（Ｓ３１）。通信端末１０Ａ−ａにおいては、合成画像取得部１１６は、合成画像Ｉｍｇ１−ｘを取得する（Ｓ３２）。
【００９２】
同様に、合成画像提供部２１３は、合成画像Ｉｍｇ１−ｘを通信端末１０Ａ−ｂに出力し（Ｓ３３）、通信端末１０Ａ−ｂにおいては、合成画像取得部１１６は、合成画像Ｉｍｇ１−ｘを取得する（Ｓ３４）。また、合成画像提供部２１３は、合成画像Ｉｍｇ１−ｘを通信端末１０Ａ−ｃに出力し（Ｓ３５）、通信端末１０Ａ−ｃにおいては、合成画像取得部１１６は、合成画像Ｉｍｇ１−ｘを取得する（Ｓ３６）。
【００９３】
通信端末１０Ａ−ａ、通信端末１０Ａ−ｂおよび通信端末１０Ａ−ｃそれぞれにおいては、表示制御部１１７は、合成画像Ｉｍｇ１−ｘが表示されるように制御する。通信端末１０Ａ−ａ、通信端末１０Ａ−ｂおよび通信端末１０Ａ−ｃそれぞれのユーザは、表示結果を閲覧しながら、他のユーザとコミュニケーションを図ることが可能となる。
【００９４】
以上、本開示の第１の実施形態に係る通信システム１Ａの動作の流れの一例について説明した。
【００９５】
＜＜２．第２の実施形態＞＞
続いて、本開示の第２の実施形態について説明する。
【００９６】
［２−１．通信システムの構成例］
最初に、本開示の第２の実施形態に係る通信システム１Ｂの構成例について説明する。図１４は、本開示の第２の実施形態に係る通信システム１Ｂの構成例を示す図である。図１４に示すように、本開示の第２の実施形態に係る通信システム１Ｂは、情報処理装置２０を有していない。したがって、本開示の第１の実施形態に係る通信システム１Ａにおいては、合成画像の生成は、情報処理装置２０においてなされていたが、本開示の第２の実施形態に係る通信システム１Ｂにおいては、通信端末１０Ｂにおいてなされる。
【００９７】
以上、本開示の第２の実施形態に係る通信システム１Ｂの構成例について説明した。
【００９８】
［２−２．通信端末の機能構成例］
続いて、本開示の第２の実施形態に係る通信端末１０Ｂの機能構成例について説明する。図１５は、本開示の第２の実施形態に係る通信端末１０Ｂの機能構成例を示す図である。図１５に示したように、本開示の第２の実施形態に係る通信端末１０Ｂは、抽出画像取得部２１１および画像合成部２１２を有している。その他の点においては、本開示の第２の実施形態に係る通信端末１０Ｂは、本開示の第２の実施形態に係る通信端末１０Ａと同様の機能ブロックを有している。
【００９９】
以上、本開示の第２の実施形態に係る通信端末１０Ｂの機能構成例について説明した。
【０１００】
［２−３．通信システムの動作］
続いて、本開示の第２の実施形態に係る通信システム１Ｂの動作の流れの一例について説明する。図１６は、本開示の第２の実施形態に係る通信システム１Ｂの動作の流れの一例を示す図である。なお、図１６には、通信システム１Ｂの動作の一例を示したに過ぎないため、通信システム１Ｂの動作は、図１６に示した例に限定されないことは言うまでもない。
【０１０１】
図１６に示したように、通信端末１０Ｂ−ａにおいて、撮像画像取得部１１１は、撮像画像Ｉｍｇ−ａを取得し、画像抽出部１１４は、撮像画像Ｉｍｇ−ａから抽出画像Ｉｍｇ１−ａを抽出する（Ｓ４１）。続いて、通信端末１０Ｂ−ａにおいて、抽出画像提供部１１５は、抽出画像Ｉｍｇ１−ａを通信端末１０Ｂ−ｂに出力する（Ｓ４２）。通信端末１０Ｂ−ｂの抽出画像取得部２１１は、抽出画像Ｉｍｇ１−ａを取得する（Ｓ４３）。
【０１０２】
同様に、通信端末１０Ｂ−ａにおいて、抽出画像提供部１１５は、抽出画像Ｉｍｇ１−ａを通信端末１０Ｂ−ｃに出力する（Ｓ４４）。通信端末１０Ｂ−ｃの抽出画像取得部２１１は、抽出画像Ｉｍｇ１−ａを取得する（Ｓ４５）。
【０１０３】
続いて、通信端末１０Ｂ−ｂにおいて、撮像画像取得部１１１は、撮像画像Ｉｍｇ−ｂを取得し、画像抽出部１１４は、撮像画像Ｉｍｇ−ｂから抽出画像Ｉｍｇ１−ｂを抽出する（Ｓ５１）。続いて、通信端末１０Ｂ−ｂにおいて、抽出画像提供部１１５は、抽出画像Ｉｍｇ１−ｂを通信端末１０Ｂ−ａに出力する（Ｓ５２）。通信端末１０Ｂ−ａの抽出画像取得部２１１は、抽出画像Ｉｍｇ１−ｂを取得する（Ｓ５３）。
【０１０４】
同様に、通信端末１０Ｂ−ｂにおいて、抽出画像提供部１１５は、抽出画像Ｉｍｇ１−ａを通信端末１０Ｂ−ｃに出力する（Ｓ５４）。通信端末１０Ｂ−ｃの抽出画像取得部２１１は、抽出画像Ｉｍｇ１−ｂを取得する（Ｓ５５）。
【０１０５】
続いて、通信端末１０Ｂ−ｃにおいて、撮像画像取得部１１１は、撮像画像Ｉｍｇ−ｃを取得し、画像抽出部１１４は、撮像画像Ｉｍｇ−ｃから抽出画像Ｉｍｇ１−ｃを抽出する（Ｓ６１）。続いて、通信端末１０Ｂ−ｃにおいて、抽出画像提供部１１５は、抽出画像Ｉｍｇ１−ｃを通信端末１０Ｂ−ａに出力する（Ｓ６２）。通信端末１０Ｂ−ａの抽出画像取得部２１１は、抽出画像Ｉｍｇ１−ｃを取得する（Ｓ６３）。
【０１０６】
同様に、通信端末１０Ｂ−ｃにおいて、抽出画像提供部１１５は、抽出画像Ｉｍｇ１−ｃを通信端末１０Ｂ−ｂに出力する（Ｓ６４）。通信端末１０Ｂ−ｂの抽出画像取得部２１１は、抽出画像Ｉｍｇ１−ｃを取得する（Ｓ６５）。
【０１０７】
続いて、通信端末１０Ｂ−ａにおいては、画像合成部２１２は、抽出画像Ｉｍｇ１−ａ、抽出画像Ｉｍｇ１−ｂおよび抽出画像Ｉｍｇ１−ｃを合成することにより合成画像Ｉｍｇ１−ｘを生成する（Ｓ７１）。同様に、通信端末１０Ｂ−ｂにおいては、画像合成部２１２は、抽出画像Ｉｍｇ１−ａ、抽出画像Ｉｍｇ１−ｂおよび抽出画像Ｉｍｇ１−ｃを合成することにより合成画像Ｉｍｇ１−ｘを生成する（Ｓ７２）。また、通信端末１０Ｂ−ｃにおいては、画像合成部２１２は、抽出画像Ｉｍｇ１−ａ、抽出画像Ｉｍｇ１−ｂおよび抽出画像Ｉｍｇ１−ｃを合成することにより合成画像Ｉｍｇ１−ｘを生成する（Ｓ７３）。
【０１０８】
なお、本開示の第１の実施形態と同様に、抽出画像Ｉｍｇ１−ａ、抽出画像Ｉｍｇ１−ｂおよび抽出画像Ｉｍｇ１−ｃが配置される位置は特に限定されない。例えば、画像合成部２１２は、あらかじめ定められた位置に抽出画像Ｉｍｇ１−ａ、抽出画像Ｉｍｇ１−ｂおよび抽出画像Ｉｍｇ１−ｃを配置してもよい。しかし、あらかじめ定められた位置を示す情報は、通信端末１０Ｂ−ａ、通信端末１０Ｂ−ｂおよび通信端末１０Ｂ−ｃにおいて共有されている必要がある。
【０１０９】
通信端末１０Ｂ−ａ、通信端末１０Ｂ−ｂおよび通信端末１０Ｂ−ｃそれぞれにおいては、表示制御部１１７は、合成画像Ｉｍｇ１−ｘが表示されるように制御する。通信端末１０Ｂ−ａ、通信端末１０Ｂ−ｂおよび通信端末１０Ｂ−ｃそれぞれのユーザは、表示結果を閲覧しながら、他のユーザとコミュニケーションを図ることが可能となる。
【０１１０】
以上、本開示の第２の実施形態に係る通信システム１Ｂの動作の流れの一例について説明した。
【０１１１】
＜＜３．むすび＞＞
以上説明したように、本開示の実施形態によれば、上方向を撮像方向とする撮像部１２０により撮像された撮像画像を取得する撮像画像取得部１１１と、撮像画像から所定領域の画像を抽出画像として抽出する画像抽出部１１４と、抽出画像と他の１以上の通信端末１０Ａからの抽出画像とが並べて配置されることにより生成された合成画像を取得する合成画像取得部１１６と、合成画像が表示されるように制御する表示制御部１１７と、を備える、通信端末１０Ａを提供することが可能である。
【０１１２】
かかる構成によれば、複数の参加者それぞれの撮像画像が画面に映し出される場合に、他の参加者に閲覧されたくない領域が画面に映ってしまう可能性を容易に低減することが可能となる。
【０１１３】
なお、添付図面を参照しながら本開示の好適な実施形態について詳細に説明したが、本開示の技術的範囲はかかる例に限定されない。本開示の技術分野における通常の知識を有する者であれば、特許請求の範囲に記載された技術的思想の範疇内において、各種の変更例または修正例に想到し得ることは明らかであり、これらについても、当然に本開示の技術的範囲に属するものと了解される。
【０１１４】
例えば、本明細書の通信システムの動作例における各ステップは、必ずしもシーケンス図として記載された順序に沿って時系列に処理する必要はない。例えば、通信システムの動作例における各ステップは、シーケンス図として記載した順序と異なる順序で処理されても、並列的に処理されてもよい。
【０１１５】
また、コンピュータに内蔵されるＣＰＵ、ＲＯＭおよびＲＡＭなどのハードウェアを、上記した通信端末および情報処理装置が有する構成と同等の機能を発揮させるためのプログラムも作成可能である。また、該プログラムを記録した、コンピュータに読み取り可能な記録媒体も提供され得る。
【０１１６】
なお、以下のような構成も本開示の技術的範囲に属する。
（１）
上方向を撮像方向とする撮像部により撮像された撮像画像を取得する撮像画像取得部と、
前記撮像画像から所定領域の画像を抽出画像として抽出する画像抽出部と、
前記抽出画像と他の１以上の通信端末からの抽出画像とが並べて配置されることにより生成された合成画像を取得する合成画像取得部と、
前記合成画像が表示されるように制御する表示制御部と、
を備える、通信端末。
（２）
前記撮像部は、前記通信端末の所定位置に設けられている、
前記（１）に記載の通信端末。
（３）
前記通信端末は、
前記撮像画像にユーザが映っているか否かを判定して判定結果を得る画像判定部と、
前記判定結果に応じて前記通信端末が有する所定の機能を制御する機能制御部と、
を備える、前記（１）または（２）に記載の通信端末。
（４）
前記機能制御部は、前記判定結果が前記撮像画像にユーザが映っている旨を示す場合には、前記通信端末が有する所定の機能を有効にする、
前記（３）に記載の通信端末。
（５）
前記機能制御部は、前記判定結果が前記撮像画像にユーザが映っていない旨を示す場合には、前記通信端末が有する所定の機能を制限する、
前記（３）に記載の通信端末。
（６）
前記通信端末が、音声の入力を受け付ける音声入力部と、前記他の１以上の通信端末に前記音声の送信を行う通信部とを備える場合、前記所定の機能は、少なくとも前記通信部による前記音声の送信機能を含む、
前記（３）または（４）に記載の通信端末。
（７）
前記通信端末が、音声の入力を受け付ける音声入力部と、前記他の１以上の通信端末に前記音声の送信を行う通信部とを備える場合、前記所定の機能は、少なくとも前記音声入力部による前記音声の入力を受け付ける機能を含む、
前記（３）または（４）に記載の通信端末。
（８）
前記画像判定部は、前記撮像画像に差分が生じたか否かによって、前記撮像画像にユーザが映っているか否かを判定する、
前記（３）〜（７）のいずれか一項に記載の通信端末。
（９）
前記画像判定部は、前記撮像画像に顔領域が存在するか否かによって、前記撮像画像にユーザが映っているか否かを判定する、
前記（３）〜（７）のいずれか一項に記載の通信端末。
（１０）
前記表示制御部は、前記合成画像上にオブジェクトが表示されるように制御し、
前記通信端末は、ユーザ操作により前記オブジェクトが移動された場合、前記オブジェクトに対応するコンテンツを移動させる処理部を備える、
前記（１）〜（９）のいずれか一項に記載の通信端末。
（１１）
前記通信端末は、
前記抽出画像を情報処理装置に提供する抽出画像提供部を備え、
前記合成画像取得部は、前記情報処理装置により生成された前記合成画像を取得する、
前記（１）〜（１０）のいずれか一項に記載の通信端末。
（１２）
前記通信端末は、
前記合成画像を生成する画像合成部を備える、
前記（１）〜（１０）のいずれか一項に記載の通信端末。
（１３）
コンピュータを、
上方向を撮像方向とする撮像部により撮像された撮像画像を取得する撮像画像取得部と、
前記撮像画像から所定領域の画像を抽出画像として抽出する画像抽出部と、
前記抽出画像と他の１以上の通信端末からの抽出画像とが並べて配置されることにより生成された合成画像を取得する合成画像取得部と、
前記合成画像が表示されるように制御する表示制御部と、
を備える通信端末として機能させるためのプログラム。
（１４）
上方向を撮像方向とする複数の撮像部それぞれにより撮像された撮像画像から抽出された各抽出画像を取得する抽出画像取得部と、
前記各抽出画像を並べて配置することにより合成画像を生成する画像合成部と、
を備える、情報処理装置。
（１５）
前記画像合成部は、前記各抽出画像が扇形である場合、前記各抽出画像を円形に並べて配置することにより前記合成画像を生成する、
前記（１４）に記載の情報処理装置。
（１６）
前記画像合成部は、前記各抽出画像に映っているユーザの関係性に応じた位置に、前記各抽出画像を並べて配置することにより前記合成画像を生成する、
前記（１４）または（１５）に記載の情報処理装置。
（１７）
前記画像合成部は、ユーザ操作により指定された抽出画像を移動させることにより前記合成画像を再生成する、
前記（１４）〜（１６）のいずれか一項に記載の情報処理装置。
（１８）
前記画像合成部は、前記合成画像のうちユーザ操作により指定された領域に応じた画像を新たな合成画像とする、
前記（１４）〜（１７）のいずれか一項に記載の情報処理装置。
【符号の説明】
【０１１７】
１Ａ、１Ｂ  通信システム
１０Ａ、１０Ｂ  通信端末
２０    情報処理装置
３０    ネットワーク
１１０  制御部
１１１  撮像画像取得部
１１２  画像判定部
１１３  機能制御部
１１４  画像抽出部
１１５  抽出画像提供部
１１６  合成画像取得部
１１７  表示制御部
１１８  処理部
１２０  撮像部
１３０  音声入力部
１４０  操作部
１５０  通信部
１６０  記憶部
１７０  音声出力部
１８０  表示部
２１０  制御部
２１１  抽出画像取得部
２１２  画像合成部
２１３  合成画像提供部
２２０  記憶部
２３０  通信部
【図１】
2014060577.tif 000003
【図２】
2014060577.tif 000004
【図３】
2014060577.tif 000005
【図４】
2014060577.tif 000006
【図５】
2014060577.tif 000007
【図６】
2014060577.tif 000008
【図７】
2014060577.tif 000009
【図８】
2014060577.tif 000010
【図９】
2014060577.tif 000011
【図１０】
2014060577.tif 000012
【図１１】
2014060577.tif 000013
【図１２】
2014060577.tif 000014
【図１３】
2014060577.tif 000015
【図１４】
2014060577.tif 000016
【図１５】
2014060577.tif 000017
【図１６】
2014060577.tif 000018